(57)【要約】【課題】被写体の位置が移動したとしても、常に被写体の正面から観察した立体視画像を表示する。【解決手段】２つの焦点位置から射出された放射線を互いに異なる２つの撮影方向からそれぞれ被写体へ照射し、放射線の照射による撮影方向毎の放射線画像を放射線画像検出器によって検出し、その検出した２つの放射線画像を用いて立体視画像を表示する放射線画像撮影表示方法において、２つの焦点位置を放射線画像検出器上に投影した２点を結ぶ直線の延伸方向についての被写体の位置情報を取得し、その取得した位置情報に基づいて２つの撮影方向を変更する。【選択図】図５
2012029759.tif 000002
【特許請求の範囲】
【請求項１】
２つの焦点位置から射出された放射線を互いに異なる２つの撮影方向からそれぞれ被写体へ照射し、該放射線の照射による前記撮影方向毎の放射線画像を放射線画像検出器によって検出し、該検出した２つの放射線画像を用いて立体視画像を表示する放射線画像撮影表示方法において、
前記２つの焦点位置を前記放射線画像検出器上に投影した２点を結ぶ直線の延伸方向についての前記被写体の位置情報を取得し、
該取得した位置情報に基づいて、前記２つの撮影方向を変更することを特徴とする放射線画像撮影表示方法。
【請求項２】
２つの焦点位置から射出された放射線を互いに異なる２つの撮影方向からそれぞれ被写体へ照射する放射線照射部と、該放射線照射部による前記放射線の照射による前記撮影方向毎の放射線画像を検出する放射線画像検出器と、前記放射線画像検出器によって検出された２つの放射線画像を用いて立体視画像を表示する表示部とを備えた放射線画像撮影表示装置において、
前記２つの焦点位置を前記放射線画像検出器上に投影した２点を結ぶ直線の延伸方向についての前記被写体の位置情報を取得する位置情報取得部と、
該位置情報取得部によって取得された位置情報に基づいて、前記２つの撮影方向を決定する撮影角度決定部とを備えたことを特徴とする放射線画像撮影表示装置。
【請求項３】
前記撮影角度決定部が、前記２つの焦点位置を前記放射線画像検出器上に投影した２点を結ぶ直線の中央位置が、前記延伸方向についての前記被写体の中央位置と略一致するように前記２つの撮影方向を決定するものであることを特徴とする請求項２記載の放射線画像撮影表示装置。
【請求項４】
前記放射線を射出する放射線源が、前記被写体の周囲を所定の回転半径で周回するものであることを特徴とする請求項２または３記載の放射線画像撮影表示装置。
【請求項５】
前記被写体が乳房であり、
該乳房を圧迫する圧迫板と該圧迫板を前記延伸方向に移動させる移動機構とを備え、
前記位置情報取得部が、前記圧迫板の位置情報を前記被写体の位置情報として取得するものであることを特徴とする請求項２から４いずれか１項記載の放射線画像撮影表示装置。
【請求項６】
前記撮影角度決定部が、前記２つの焦点位置を前記放射線画像検出器上に投影した２点を結ぶ直線の中央位置が、前記延伸方向についての前記圧迫板の中央位置と略一致するように前記２つの撮影方向を決定するものであることを特徴とする請求項５記載の放射線画像撮影表示装置。
【請求項７】
前記撮影角度決定部が、前記表示部に表示される立体視画像が、前記被写体の正面からの観察画像となるように前記２つの撮影方向を決定するものであることを特徴とする請求項２から６いずれか１項記載の放射線画像撮影表示装置。
【請求項８】
前記放射線源を周回させるアーム部を備えたことを特徴とする請求項４記載の放射線画像撮影表示装置。
【請求項９】
前記アーム部の一端に前記放射線源が設置されるとともに、他端に前記放射線画像検出器が設置されることを特徴とする請求項８記載の放射線画像撮影表示装置。
【請求項１０】
前記被写体の位置情報の入力を受け付ける位置情報入力受付部を備えたことを特徴とする請求項２から９いずれか１項記載の放射線画像撮影表示装置。
【発明の詳細な説明】
【技術分野】
【０００１】
本発明は、互いに異なる２つの撮影方向から放射線を被写体へ照射して撮影方向毎の放射線画像を検出し、その検出した２つの放射線画像を用いて立体視画像を表示する放射線画像撮影表示方法および装置に関するものである。
【背景技術】
【０００２】
従来、複数の画像を組み合わせて表示することにより、視差を利用して立体視できることが知られている。このような立体視できる画像（以下、立体視画像またはステレオ画像という）は、同一の被写体を異なる方向から撮影して取得された互いに視差のある複数の画像に基づいて生成される。
【０００３】
そして、このような立体視画像の生成は、デジタルカメラやテレビなどの分野だけでなく、放射線画像撮影の分野においても利用されている。すなわち、被検者に対して互いに異なる方向から放射線を照射し、その被検者を透過した放射線を放射線画像検出器によりそれぞれ検出して互いに視差のある複数の放射線画像を取得し、これらの放射線画像に基づいて立体視画像を生成することが行われている。そして、このように立体視画像を生成することによって奥行感のある放射線画像を観察することができ、より診断に適した放射線画像を観察することができる。
【０００４】
ここで、上記のような立体視画像を撮影する撮影装置においては、立体視画像を構成する２枚の放射線画像は、予め設定された２つの撮影方向から被写体へ放射線を照射することによって撮影される。
【０００５】
したがって、このようにして撮影された２枚の放射線画像を用いて表示される立体視画像の視点は１つの点に固定されることになる。
【先行技術文献】
【特許文献】
【０００６】
【特許文献１】特開平１０−００５２０６号公報
【発明の概要】
【発明が解決しようとする課題】
【０００７】
しかしながら、放射線画像撮影においては被写体の位置は１つの特定した位置に限らず、体位などによって種々の異なる位置をとり得る。このような状況において、上述したように放射線を照射する撮影方向が予め設定された２つの方向だけでは、被写体の位置が異なる毎に視点の位置が異なることになってしまい、観察しづらい立体視画像となってしまう。
【０００８】
具体的な例を説明すると、たとえば、図７（Ａ）に示すように放射線画像検出器１００の略中央に乳房を配置した状態において、その中央位置に対して対称な撮影方向から放射線を照射して撮影を行った場合には、乳房Ｍを正面の視点方向から観察した立体視画像を表示することができる。なお、図７（Ａ）における５２は放射線源を示しており、１０１は圧迫板を示している。
【０００９】
しかしながら、図７（Ｂ）に示すように２つの撮影方向を変更することなく、乳房Ｍの位置のみが右方向にずれた状態で撮影を行った場合には、立体視画像の視点方向が正面とならず斜め方向となるため、乳房を正面から見た立体視画像を観察することができず、斜めから覗き込んだような立体視画像となってしまう。
【００１０】
なお、特許文献１には、立体視画像を撮影する撮影装置において、観察視差と撮影視差とが略等しくなるようにモニタの画面上での２枚の放射線画像の中心間距離を調節する方法が提案されているが、上述したような被写体の位置がずれた場合の対応方法については何の開示もされていない。
【００１１】
本発明は、上記の事情に鑑み、被写体の位置が移動したとしても、常に被写体の正面から観察した立体視画像を表示することができる放射線画像撮影表示方法および装置を提供することを目的とする。
【課題を解決するための手段】
【００１２】
本発明の放射線画像撮影表示方法は、２つの焦点位置から射出された放射線を互いに異なる２つの撮影方向からそれぞれ被写体へ照射し、放射線の照射による撮影方向毎の放射線画像を放射線画像検出器によって検出し、その検出した２つの放射線画像を用いて立体視画像を表示する放射線画像撮影表示方法において、２つの焦点位置を放射線画像検出器上に投影した２点を結ぶ直線の延伸方向についての被写体の位置情報を取得し、その取得した位置情報に基づいて、２つの撮影方向を変更することを特徴とする。
【００１３】
本発明の放射線画像撮影表示装置は、２つの焦点位置から射出された放射線を互いに異なる２つの撮影方向からそれぞれ被写体へ照射する放射線照射部と、放射線照射部による放射線の照射による撮影方向毎の放射線画像を検出する放射線画像検出器と、放射線画像検出器によって検出された２つの放射線画像を用いて立体視画像を表示する表示部とを備えた放射線画像撮影表示装置において、２つの焦点位置を放射線画像検出器上に投影した２点を結ぶ直線の延伸方向についての被写体の位置情報を取得する位置情報取得部と、位置情報取得部によって取得された位置情報に基づいて、２つの撮影方向を決定する撮影角度決定部とを備えたことを特徴とする。
【００１４】
また、上記本発明の放射線画像撮影表示装置においては、撮影角度決定部を、２つの焦点位置を放射線画像検出器上に投影した２点を結ぶ直線の中央位置が、上記延伸方向についての被写体の中央位置と略一致するように２つの撮影方向を決定するものとできる。
【００１５】
また、放射線を射出する放射線源を、被写体の周囲を所定の回転半径で周回するものとできる。
【００１６】
また、被写体を乳房とし、乳房を圧迫する圧迫板と圧迫板を上記延伸方向に移動させる移動機構とを設け、位置情報取得部を、圧迫板の位置情報を被写体の位置情報として取得するものとできる。
【００１７】
また、撮影角度決定部を、２つの焦点位置を放射線画像検出器上に投影した２点を結ぶ直線の中央位置が、上記延伸方向についての圧迫板の中央位置と略一致するように２つの撮影方向を決定するものとできる。
【００１８】
また、撮影角度決定部を、表示部に表示される立体視画像が、被写体の正面からの観察画像となるように２つの撮影方向を決定するものとできる。
【００１９】
また、放射線源を周回させるアーム部を設けることができる。
【００２０】
また、アーム部の一端に放射線源を設置するとともに、他端に放射線画像検出器を設置することができる。
【００２１】
また、被写体の位置情報の入力を受け付ける位置情報入力受付部を設けることができる。
【発明の効果】
【００２２】
本発明の放射線画像撮影表示方法および装置によれば、２枚の放射線画像の撮影の際の２つの焦点位置を放射線画像検出器上に投影した２点を結ぶ直線の延伸方向についての被写体の位置情報を取得し、その取得した位置情報に基づいて、立体視画像を構成する２枚の放射線画像の撮影方向を変更するようにしたので、被写体の位置が中央位置から移動したとしても、常に被写体の正面から観察した立体視画像を表示することができる。
【図面の簡単な説明】
【００２３】
【図１】本発明の放射線撮影表示装置の一実施形態を用いた乳房画像撮影表示システムの概略構成図
【図２】図１に示す乳房画像撮影表示システムのアーム部を図１の右方向から見た図
【図３】図１に示す乳房画像撮影表示システムのコンピュータ内部の概略構成を示すブロック図
【図４】本発明の放射線撮影装置の一実施形態を用いた乳房画像撮影表示システムの作用を説明するためのフローチャート
【図５】乳房が放射線画像検出器の中央位置に配置されたときの撮影方向と放射線画像検出器の中央位置から右方向にずれたときの撮影方向とを示す図
【図６】乳房が放射線画像検出器の中央位置からずれて配置されたときの撮影方向の算出方法を説明するための図
【図７】乳房が放射線画像検出器の中央位置からずれて配置されたときの視点方向のずれを説明するための図
【発明を実施するための形態】
【００２４】
以下、図面を参照して本発明の放射線画像撮影表示装置の一実施形態を用いた乳房画像撮影表示システムについて説明する。図１は、本実施形態の乳房画像撮影表示システム全体の概略構成を示す図である。
【００２５】
本実施形態の乳房画像撮影表示システム１は、図１に示すように、乳房画像撮影装置１０と、乳房画像撮影装置１０に接続されたコンピュータ２と、コンピュータ２に接続されたモニタ３および入力部４とを備えている。
【００２６】
そして、乳房画像撮影装置１０は、図１に示すように、基台１１と、基台１１に対し上下方向（Ｚ方向）に移動可能であり、かつ回転可能な回転軸１２と、回転軸１２により基台１１と連結されたアーム部１３を備えている。なお、図２には、図１の右方向から見たアーム部１３を示している。
【００２７】
アーム部１３はアルファベットのＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００２８】
撮影台１４の内部には、フラットパネルディテクタ等の放射線画像検出器１５と、放射線画像検出器１５からの電荷信号の読み出しを制御する検出器コントローラ３３が備えられている。
【００２９】
また、撮影台１４の内部には、放射線画像検出器１５から読み出された電荷信号を電圧信号に変換するチャージアンプや、チャージアンプから出力された電圧信号をサンプリングする相関２重サンプリング回路や、電圧信号をデジタル信号に変換するＡＤ変換部などが設けられた回路基板なども設置されている。
【００３０】
また、撮影台１４はアーム部１３に対し回転可能に構成されており、基台１１に対してアーム部１３が回転したときでも、撮影台１４の向きは基台１１に対し固定された向きとすることができる。
【００３１】
放射線画像検出器１５は、放射線画像の記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。また、放射線画像信号の読出方式としては、ＴＦＴ（thin film transistor）スイッチをオン・オフされることによって放射線画像信号が読みだされる、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００３２】
放射線照射部１６の中には放射線源１７と、放射線源コントローラ３２が収納されている。放射線源コントローラ３２は、放射線源１７から放射線を照射するタイミングと、放射線源１７における放射線発生条件（管電流、時間、管電流時間積等）を制御するものである。
【００３３】
また、アーム部１３の中央部には、撮影台１４の上方に配置されて乳房を押さえつけて圧迫する圧迫板１８と、その圧迫板１８を支持する支持部２０と、支持部２０を上下方向（Ｚ方向）に移動させる移動機構１９が設けられている。また、移動機構１９は、図２に示すように、圧迫板１８を左右方向（Ｘ方向）に移動させるものである。なお、図２に示すように、上記左右方向（Ｘ方向）とは、放射線源１７の移動方向と同じ方向であり、放射線源１７の２つの焦点位置を放射線画像検出器１５上に投影した２点を結ぶ直線の延伸方向でもある。
【００３４】
圧迫板１８の位置、圧迫圧は、圧迫板コントローラ３４により制御される。そして、本実施形態においては、撮影台１４に設置された乳房Ｍの左右方向の位置に応じて、撮影者が入力部４を用いて圧迫板１８の位置情報を入力し、圧迫板コントローラ３４は、その入力された位置情報に基づいて圧迫板１８を左右方向に移動させるものである。
【００３５】
なお、本実施形態においては、上述したように圧迫板１８の位置情報を撮影者が入力設定するようにしたが、これに限らず、撮影台１４に設置された乳房Ｍの位置をセンサなどで自動的に検出し、圧迫板コントローラ３４が、その検出された位置情報に基づいて、乳房Ｍの中央位置と圧迫板１８の中央位置とが略一致するように圧迫板１８を左右方向に移動させるようにしてもよい。
【００３６】
コンピュータ２は、中央処理装置（ＣＰＵ）および半導体メモリやハードディスクやＳＳＤ等のストレージデバイスなどを備えており、これらのハードウェアによって、図３に示すような制御部８ａ、放射線画像記憶部８ｂ、乳房位置取得部８ｃ、撮影角度決定部８ｄおよび表示制御部８ｅが構成されている。
【００３７】
制御部８ａは、各種のコントローラ３１〜３５に対して所定の制御信号を出力し、システム全体の制御を行うものである。具体的な制御方法については後で詳述する。
【００３８】
放射線画像記憶部８ｂは、互いに異なる２つの撮影方向からの撮影によって放射線画像検出器１５によって検出された２枚の放射線画像信号を予め記憶するものである。
【００３９】
乳房位置取得部８ｃは、撮影台１４上に設置された乳房の位置情報を取得するものであるが、本実施形態においては、撮影台１４上に設置された乳房の位置に合わせて圧迫板１８を左右方向に移動させるので、その圧迫板１８の位置情報を乳房の位置情報として取得する。ただし、乳房の位置情報の取得方法としては、これに限らず、たとえば、撮影者が入力部４を用いて乳房の位置を表す座標値などを入力するようにしてもよいし、もしくは０°方向からプレ曝射を行って放射線画像を取得し、その放射線画像内の乳房の位置を認識することによって位置情報を取得するようにしてもよい。
【００４０】
撮影角度決定部８ｄは、乳房位置取得部８ｃによって取得された圧迫板１８の位置情報に基づいて、ステレオ画像を構成する２枚の放射線画像の２つの撮影方向を決定するものである。撮影角度決定部８ｄは、上記各放射線画像を撮影する際における放射線源１７の２つの焦点位置を放射線画像検出器１５上に投影した２点を結ぶ直線の中央位置が、乳房の左右方向の中央位置と略一致するように２つの撮影方向を決定するものである。なお、この２つの撮影方向の決定方法については、後で詳述する。
【００４１】
表示制御部８ｅは、放射線画像記憶部８ｂから読み出された２枚の放射線画像信号に対して所定の処理を施した後、モニタ３に乳房Ｍのステレオ画像を表示させるものである。
【００４２】
入力部４は、たとえば、キーボードやマウスなどのポインティングデバイスから構成されるものであり、撮影者による乳房の位置情報などを含む撮影条件の入力や撮影開始指示の入力などを受け付けるものである。
【００４３】
モニタ３は、ステレオ画像の撮影時においては、コンピュータ２から出力された２つの放射線画像信号を用いてステレオ画像を表示可能なように構成されたものである。ステレオ画像を表示する構成としては、たとえば、２つの画面を用いて２つの放射線画像信号に基づく放射線画像をそれぞれ表示させて、これらをハーフミラーや偏光グラスなどを用いることで一方の放射線画像は観察者の右目に入射させ、他方の放射線画像は観察者の左目に入射させることによってステレオ画像を表示する構成を採用することができる。または、たとえば、２つの放射線画像を所定の視差量だけずらして重ね合わせて表示し、これを偏光グラスで観察することでステレオ画像を生成する構成としてもよいし、もしくはパララックスバリア方式およびレンチキュラー方式のように、２つの放射線画像を立体視可能な３Ｄ液晶に表示することによってステレオ画像を生成する構成としてもよい。
【００４４】
次に、本実施形態の乳房画像撮影表示システムの作用について、図４に示すフローチャートを参照しながら説明する。
【００４５】
まず、撮影台１４の上に患者の乳房Ｍが設置される（Ｓ１０）。そして、撮影台１４上に設置された乳房Ｍの中央付近と圧迫板１８の中央付近とが略一致するように撮影者によって入力部４を用いて圧迫板１８の位置情報が入力される（Ｓ１２）。
【００４６】
そして、入力部４から入力された圧迫板１８の位置情報は、乳房位置取得部８ｃと圧迫板コントローラ３４とに入力される。圧迫板コントローラ３４は、入力された圧迫板１８の位置情報に基づいて圧迫板１８を左右方向に移動させ、移動後の圧迫板１８により乳房Ｍを所定の圧力によって圧迫する（Ｓ１４）。
【００４７】
次に、乳房位置取得部８ｃによって取得された圧迫板１８の位置情報が撮影角度決定部８ｄに出力され、撮影角度決定部８ｄは、入力された圧迫板１８の位置情報に基づいて、ステレオ画像を構成する２枚の放射線画像の撮影方向を決定する（Ｓ１６）。撮影角度決定部８ｄは、モニタ３に表示されるステレオ画像が、乳房Ｍの正面からの観察画像となるように２つの撮影方向を決定するものであるが、具体的な例を以下に説明する。
【００４８】
まず、たとえば、圧迫板１８の左右方向（Ｘ方向）の位置情報が、撮影台１４に対して略中央の位置情報である場合には、図５（Ａ）に示すように、ステレオ画像の視点方向は０°方向となるので、この０°方向を中心とした対称な撮影方向である＋θ°と−θ°とが２つの撮影方向として決定される。なお、この±θ°としては、たとえば、±２°が設定されるが、この輻輳角については任意に設定可能である。
【００４９】
一方、圧迫板１８の左右方向（Ｘ方向）の位置情報が、図５（Ｂ）に示すように、撮影台１４の中央位置に対して右方向に位置している場合には、ステレオ画像の視点方向は０°方向とより右方向にずれことになるのでこのずれに合わせて２つの撮影方向を決定する必要がある。
【００５０】
したがって、撮影角度決定部８ｄは、図５（Ｂ）に示すように、各放射線画像を撮影する際における放射線源１７の２つの焦点位置を放射線画像検出器１５上に投影した２点を結ぶ直線の中央位置が、乳房の左右方向の中央位置と略一致するように２つの撮影方向を決定する。具体的には、図５（Ｂ）に示す＋θ１°と−θ２°とが２つの撮影方向として決定される。なお、図５（Ａ）に示す±θ＝±２°である場合には、θ１°＋θ２°は４°となる。そして、＋θ１°の値と、−θ２°の値とは、具体的には、下式に基づいて算出することができる。
＋θ１°＝ｓｉｎ−１｛（Ｄ＋ＳＩＤ×ｓｉｎθ）/ＳＩＤ｝
−θ２°＝ｓｉｎ−１｛（Ｄ−ＳＩＤ×ｓｉｎθ）/ＳＩＤ｝
ただし、上式におけるＤは、図６に示すように、放射線画像検出器１５の左右方向の中央位置、すなわちアーム部１３の回転中心から乳房Ｍ（圧迫板１８）の左右方向の中央位置までの距離であり、ＳＩＤは、図６に示すように、放射線源１７の焦点位置から放射線画像検出器１５の検出面までの距離であり、θは、図５（Ａ）に示すθの値である。
【００５１】
そして、上述したようにして２つの撮影方向が決定した後、入力部４おいて、撮影者によって撮影開始の指示が入力され、２枚の放射線画像の撮影が開始される（Ｓ１８）。なお、ここでは２つの撮影方向として＋θ１°と−θ２°とが決定された場合について説明する。
【００５２】
具体的には、まず、制御部８ａが、撮影角度決定部８ｄにおいて決定された輻輳角＋θ１°を取得し、その取得した輻輳角＋θ１°の情報をアームコントローラ３１に出力する。
【００５３】
そして、アームコントローラ３１において、制御部８ａから出力された輻輳角＋θ１°の情報が受け付けられ、アームコントローラ３１は、まず、図５（Ｂ）に示すように、アーム部１３を撮影台１４に垂直な方向に対して＋θ１°回転するよう制御信号を出力する。
【００５４】
そして、このアームコントローラ３１から出力された制御信号に応じてアーム部１３が、撮影台１４に対して垂直な方向に対して＋θ１°となった状態において、続いて制御部８ａは、放射線源コントローラ３２および検出器コントローラ３３に対して放射線の照射と放射線画像信号の読出しを行うよう制御信号を出力する。この制御信号に応じて、放射線源１７から放射線が射出され、乳房を＋θ１°方向から撮影した放射線画像が放射線画像検出器１５によって検出され、検出器コントローラ３３によって放射線画像信号が読み出され、その放射線画像信号に対して所定の信号処理が施された後、コンピュータ２の放射線画像記憶部８ｂに記憶される。
【００５５】
次に、アームコントローラ３１は、図５（Ｂ）に示すように、アーム部１３を撮影台１４に垂直な方向に対して−θ２°回転するよう制御信号を出力する。
【００５６】
そして、このアームコントローラ３１から出力された制御信号に応じてアーム部１３が−θ２°回転した状態において、続いて制御部８ａは、放射線源コントローラ３２および検出器コントローラ３３に対して放射線の照射と放射線画像信号の読出しを行うよう制御信号を出力する。
【００５７】
具体的には、制御部８ａが、放射線源コントローラ３２および検出器コントローラ３３に対して放射線の照射と放射線画像の読出しを行うよう制御信号を出力する。この制御信号に応じて、放射線源１７から放射線が射出され、乳房を−θ２°方向から撮影した放射線画像が放射線画像検出器１５によって検出され、検出器コントローラ３３によって放射線画像信号が読み出され、所定の信号処理が施された後、コンピュータ２の放射線画像記憶部８ｂに記憶される。
【００５８】
そして、放射線画像記憶部８ｂに記憶された２枚の放射線画像信号が読み出され、表示制御部８ｅにおいてこれらの放射線画像信号に対して所定の処理が施された後、モニタ３に出力され、モニタ３において、乳房を正面から観察したステレオ画像が表示される（Ｓ２０）。
【００５９】
なお、上記実施形態は、本発明の放射線画像撮影表示装置の一実施形態を乳房画像撮影表示システムに適用したものであるが、本発明の被写体としては乳房に限らず、たとえば、胸部や頭部などを撮影する放射線画像撮影表示システムにも本発明を適用することができる。
【符号の説明】
【００６０】
１     乳房画像撮影表示システム
２     コンピュータ
３     モニタ
４     入力部
８ａ   制御部
８ｂ   放射線画像記憶部
８ｃ   乳房位置取得部
８ｄ   撮影角度決定部
８ｅ   表示制御部
１０   乳房画像撮影装置
１３   アーム部
１４   撮影台
１５   放射線画像検出器
１７   放射線源
１８   圧迫板
１９   移動機構
【図１】
2012029759.tif 000003
【図２】
2012029759.tif 000004
【図３】
2012029759.tif 000005
【図４】
2012029759.tif 000006
【図５】
2012029759.tif 000007
【図６】
2012029759.tif 000008
【図７】
2012029759.tif 000009